(57)【要約】【課題】  吹出口本体内部の複数の整流板で吹出口本体内から開口部に向う調和空気の気流を適切に案内、誘導して、開口部で所望の吹出状態を得ることができ、調和空気の吹出状態を最適化して空気調和対象空間の活動域に対し効率よく確実に空気調和が行える吹出口装置を提供する。【解決手段】  筒状の吹出口本体１１内部に整流板１２を複数配設し、吹出口本体１１内でその筒軸方向に進行しようとする気流を各整流板１２で制限して徐々に各整流板１２間の隙間１１ｄに導き、開口部１１ａへ向わせることから、最終的に開口部１１ａから出る気流を、各整流板１２の間隔と開放部分１２ａの配置に応じた所望の吹出状態に調整できることとなり、大空間における人の活動域に対し適切に調和空気を到達させる吹出状態が容易に得られ、少ない吹出口装置数でも確実に空気調和が行える。【選択図】  図５
2009250536.tif 000002
【特許請求の範囲】
【請求項１】
端部から調和空気が供給される所定長さの略筒状体で形成され、当該略筒状体周側面の一又は複数の所定箇所に開口部を形成されてなり、空気調和の対象空間内に配置されて前記開口部から前記調和空気を吹出す吹出口本体と、
当該吹出口本体内部における吹出口本体筒軸方向の前記開口部のある範囲に筒軸方向へ各々所定間隔で複数配設され、筒軸方向と略直角向きとされて吹出口本体内部の開口領域を一部閉塞する整流板とを備え、
前記各整流板が、調和空気供給側から遠ざかるにつれて吹出口本体内部開口領域を閉塞する面積を大きくする形状として形成されると共に、各整流板の閉塞しない開放部分の前記筒軸方向における相互の位置関係が、隣合う整流板同士で重なり、且つ小さい方の開放部分が大きい方の開放部分の範囲内に収る配置とされてなることを
特徴とする吹出口装置。
【請求項２】
前記請求項１に記載の吹出口装置において、
前記整流板が、前記吹出口本体内部の開口領域を閉塞しない前記開放部分に面する内縁部として円弧部分を有する形状とされ、吹出口本体の筒軸方向に等間隔で配設されてなり、
各整流板における円弧部分が、各円弧の円中心位置が前記筒軸方向に重なる配置として形成されることを
特徴とする吹出口装置。
【請求項３】
前記請求項１に記載の吹出口装置において、
前記整流板が、前記吹出口本体内部の開口領域を閉塞しない前記開放部分を円形の孔とされてなり、
前記各開放部分をなす孔が、一の整流板における孔に対する他の整流板における孔の円中心を、筒軸方向と直交する所定の一方向に、一の整流板から離れるほど大きなずれ量で偏心させた配置とされることを
特徴とする吹出口装置。
【請求項４】
前記請求項３に記載の吹出口装置において、
前記吹出口本体が、円筒体とされ、
前記各整流板が、前記吹出口本体の円筒軸位置を中心として回動可能に配設されてなることを
特徴とする吹出口装置。
【請求項５】
前記請求項１、３、４のいずれかに記載の吹出口装置において、
前記整流板が、前記吹出口本体の筒軸方向における位置をそれぞれ調整可能として配設されることを
特徴とする吹出口装置。
【請求項６】
前記請求項１ないし５のいずれかに記載の吹出口装置において、
前記整流板が、前記吹出口本体の開口部に面する一又は複数の端部所定範囲部分を、吹出口本体の筒軸方向と直角をなす軸周りに傾動可能として形成されることを
特徴とする吹出口装置。
【発明の詳細な説明】
【技術分野】
【０００１】
本発明は、空気調和対象空間に面して配設される吹出口装置に関し、特に、大空間となる空気調和対象空間に突出させて配設され、側面の開口部から調和空気を吹出す中空柱状の吹出口装置に関する。
【背景技術】
【０００２】
空気調和の対象空間に面して配設され、ダクトを通じて供給される調和空気を吹出す吹出口装置においては、前記空気調和対象空間が大きい場合、調和空気の到達距離を大きくとれるノズル型の吹出口装置が従来一般的に用いられていた。しかしながら、空気調和対象空間が、劇場や多目的ホール、屋内競技場（アリーナ）等である場合、ノズル型の吹出口装置で床面付近や観客席等といった人々の活動域まで均等に空気調和を行うためには、調和空気と既存空気との混合期間が十分にとれるように壁面上方や天井に吹出口を配設し、且つ吹出口から大風量の気流を吹出す必要があり、このために各吹出口に通じるダクト等の付帯設備が空間の大きい分大規模なものになっていた。特に、冷房の場合で、冷気の下降作用を最大限利用して確実に前記活動域まで冷気を到達させるために、天井付近に吹出口及びダクトを配設しようとすると、ダクト設備が著しく長経路となり、設置作業が困難である上、高コストになってしまうという問題がある。
【０００３】
近年、こうした大空間での空気調和に対応させるため、空気調和対象の活動域近傍で空間内に突出させた筒体の側面開口部から調和空気を吹出す形式の吹出口装置が提案されており、調和空気の気流を空気調和対象空間の活動域に効率よく到達させられ、より低コストで優れた空気調和能力が得られるといった特長を有する。このような従来の吹出口装置の一例として、特開平１１−２３０６１１号公報に開示されるものがある。
【特許文献１】特開平１１−２３０６１１号公報
【発明の開示】
【発明が解決しようとする課題】
【０００４】
従来の吹出口装置は前記特許文献に示される構成となっており、大空間における人の活動域に気流を適切に到達させることができるという優れた特長を有するものの、気流を吹出す開口部が小さく、気流の吹出状態が特定のパターンに限られると共に、気流の進行方向の調整範囲が垂直、水平方向とも狭い範囲に限定されており、観客席や階段、仕切板等、吹出口周囲の設置物の配置状況によっては、所望の気流進行状態が得られずに、活動域に均等に気流を行渡らせられない場合があり、活動域をカバーするために吹出口を多数設置しないと対応できないという課題を有していた。
【０００５】
本発明は前記課題を解消するためになされたもので、吹出口本体内部の複数の整流板で吹出口本体内から開口部に向う調和空気の気流を適切に案内、誘導して、開口部で所望の吹出状態を得ることができ、調和空気の吹出状態を最適化して空気調和対象空間の活動域に対し効率よく確実に空気調和が行える吹出口装置を提供することを目的とする。
【課題を解決するための手段】
【０００６】
本発明に係る吹出口装置は、端部から調和空気が供給される所定長さの略筒状体で形成され、当該略筒状体周側面の一又は複数の所定箇所に開口部を形成されてなり、空気調和の対象空間内に配置されて前記開口部から前記調和空気を吹出す吹出口本体と、当該吹出口本体内部における吹出口本体筒軸方向の前記開口部のある範囲に筒軸方向へ各々所定間隔で複数配設され、筒軸方向と略直角向きとされて吹出口本体内部の開口領域を一部閉塞する整流板とを備え、前記各整流板が、調和空気供給側から遠ざかるにつれて吹出口本体内部開口領域を閉塞する面積を大きくする形状として形成されると共に、各整流板の閉塞しない開放部分の前記筒軸方向における相互の位置関係が、隣合う整流板同士で重なり、且つ小さい方の開放部分が大きい方の開放部分の範囲内に収る配置とされてなるものである。
【０００７】
このように本発明によれば、側面に開口部のある筒状の吹出口本体内部に整流板を複数配設し、各整流板における吹出口本体内部の開口領域を閉塞する面積を少しずつ大きくして、吹出口本体内でその筒軸方向に進行しようとする気流を各整流板で制限して徐々に各整流板間の隙間に導き、開口部側へ向わせることにより、進行方向を変えて開口部に達する過程での気流の圧力損失を小さく抑えつつ、各整流板における開放部分の大きさ及び位置と整流板間の間隔に応じて、気流の各整流板間の隙間に入って開口部側へ向う分とそのまま開放部分を抜けて吹出口本体筒軸方向へ進行する分との割合を適宜設定でき、最終的に開口部から出る気流を所望の吹出状態に調整できることとなり、大空間における人の活動域に対し適切に調和空気を到達させる吹出状態が容易に得られ、少ない吹出口装置数でも確実に空気調和が行えると共に、適切な吹出状態が得られることで活動域近傍からでも気流を確実に活動域へ到達させられ、空気調和設備の大規模化を防げる。
【０００８】
また、本発明に係る吹出口装置は必要に応じて、前記整流板が、前記吹出口本体内部の開口領域を閉塞しない前記開放部分に面する内縁部として円弧部分を有する形状とされ、吹出口本体の筒軸方向に等間隔で配設されてなり、各整流板における円弧部分が、各円弧の円中心位置が前記筒軸方向に重なる配置として形成されるものである。
【０００９】
このように本発明によれば、整流板の開放部分に面する内縁を吹出口本体筒軸方向で同心となる円弧形状とした上で整流板を等間隔で配設し、整流板間の流路形状変化を整流板形状の差異のみに影響を受けるものとし、且つ各整流板の閉塞部分で遮られて整流板間の隙間へ進む気流と開放部分を抜けて直進する気流との関係を前記筒軸方向と直角をなす各向きについて一様な状態とすることにより、各整流板間の隙間から開口部に達して吹出される気流を均等化できると共に、開口部に達する気流の前記筒軸方向と直角をなす各方向における分布も均等とすることができ、開口部各部から気流を均等に吹出せることとなり、開口部から気流を空気調和対象空間に適切に進行させて十分な到達距離を確保できる上、活動域に対し気流をまんべんなく拡散させて効率よく空気調和が行える。また、開口部において気流が特定の箇所に集中したり偏ったりしないことで騒音の発生も抑えられる。
【００１０】
また、本発明に係る吹出口装置は必要に応じて、前記整流板が、前記吹出口本体内部の開口領域を閉塞しない前記開放部分を円形の孔とされてなり、前記各開放部分をなす孔が、一の整流板における孔に対する他の整流板における孔の円中心を、筒軸方向と直交する所定の一方向に、一の整流板から離れるほど大きなずれ量で偏心させた配置とされるものである。
【００１１】
このように本発明によれば、整流板の開放部分としての円形の孔を一方向に徐々にずらしていく配置とし、各整流板の閉塞部分で遮られて整流板間の隙間へ進む気流と開放部分を抜けて直進する気流との関係を前記筒軸方向と直角をなす各向きについて一様ではない状態とすることにより、開放部分と整流板外周との距離が長くなる所定方向で整流板に遮られて開放部分から整流板間の隙間に進む気流が多くなることに伴って、気流の進行に偏りが生じ、気流の吹出状態として前記所定方向で他方向より強めに吹出すパターンが得られることとなり、空気調和対象空間における活動域に対し特定箇所への到達を重視する場合に適切に対応でき、あらゆる状況で確実に空気調和が行える。
【００１２】
また、本発明に係る吹出口装置は必要に応じて、前記吹出口本体が、円筒体とされ、前記各整流板が、前記吹出口本体の円筒軸位置を中心として回動可能に配設されてなるものである。
【００１３】
このように本発明によれば、整流板を回動可能とし、整流板の吹出口本体開口部に対する位置関係を調整して、開放部分としての円形の孔のずれに伴う気流進行の偏り状態を開口部位置に対して変化させることにより、気流が強めに吹出す向きを開口部の範囲で自在に調整できることとなり、気流の吹出状態を容易に変更可能となり、気流の到達を所望の状態に適切に設定でき、空気調和の用途や活動域の状況に対応して効率よく空気調和を行える。
また、本発明に係る吹出口装置は必要に応じて、前記整流板が、前記吹出口本体の筒軸方向における位置をそれぞれ調整可能として配設されるものである。
【００１４】
このように本発明によれば、整流板の間隔をそれぞれ調整可能とし、各整流板間の隙間を通過して吹出す気流の割合を変化させられることにより、開口部における筒軸方向の吹出気流分布を所望の状態に調整でき、吹出後の気流の前記筒軸方向への拡散や偏り等の進行状態変化を与えることができ、空気調和状況に応じて開口部から吹出す気流の進行状態を変化させて十分な到達範囲を確保でき、活動域近傍からでも気流を確実に活動域各部へ行渡らせて空気調和の効率を高められる。
【００１５】
また、本発明に係る吹出口装置は必要に応じて、前記整流板が、前記吹出口本体の開口部に面する一又は複数の端部所定範囲部分を、吹出口本体の筒軸方向と直角をなす軸周りに傾動可能として形成されるものである。
【００１６】
このように本発明によれば、整流板端部を他部分に対し傾斜角度調整可能とし、整流板端部の傾斜角度に応じて整流板間を通過する気流の進行方向を変化させられることにより、端部の傾斜角度を変えて開口部から吹出す気流を所望の方向へ向わせられることとなり、気流の吹出方向を空気調和状況に対応させられ、到達距離を最大限に確保できるなど、活動域に対し適切に空気調和を行える。
【発明を実施するための最良の形態】
【００１７】
（本発明の第１の実施形態）
以下、本発明の第１の実施形態に係る吹出口装置を図１ないし図８に基づいて説明する。本実施形態では空気調和として冷房を行う場合の例について説明する。図１は本実施形態に係る吹出口装置の概略右側面図、図２は本実施形態に係る吹出口装置における要部の右側面図、図３は図２のＡ−Ａ断面図、図４は本実施形態に係る吹出口装置における要部の縦断面図、図５は本実施形態に係る吹出口装置の開口部内側における気流進行状態説明図、図６は本実施形態に係る吹出口装置における吹出気流の水平方向及び垂直方向の各進行状態説明図、図７は本実施形態に係る吹出口装置における正面限定吹出時の風向調整体調整状態説明図、図８は本実施形態に係る吹出口装置における正面限定吹出時の水平方向及び垂直方向の各気流進行状態説明図である。
【００１８】
前記各図において本実施形態に係る吹出口装置１０は、周側面に開口部１１ａを穿設された中空筒体として形成され、空気調和対象空間の床部５０から垂直上方に起立する状態で配設される吹出口本体１１と、この吹出口本体１１内部における吹出口本体筒軸方向の開口部１１ａのある所定範囲位置で吹出口本体１１内開口領域を一部閉塞して配設される複数の整流板１２と、開口部１１ａの外側に複数配設される略板状の風向調整体１３とを備える構成である。
【００１９】
前記吹出口本体１１は、起立状態で配置される空気調和対象空間において少なくとも人の活動域を上回る高さとなる十分な長さの円筒体として形成され、上側の端部を閉塞される一方で床部側の端部を開放状態とされてなり、また、周側面に開口正面側から見て矩形開口形状となる開口部１１ａが上下に複数設けられる構成となっており、床部側端部から調和空気が供給され、各開口部１１ａから空気調和対象空間内に調和空気を吹出すものである。この吹出口本体１１内部には、仕切板１１ｂを配設して、上下に離れた各開口部１１ａに床部側から調和空気が個別に供給されるようにしている。本実施形態においては、屋内競技場等の複数層にわたる観客席部分に吹出口本体１１が設けられる例を示しており、一階の床部５０から起立して二階床部５１を貫通した状態で配設され、一階と二階にそれぞれ配置された各開口部１１ａから人の活動域となる各階の観客席付近に調和空気を送込むものとなっている。
【００２０】
前記整流板１２は、外周部分の一部が吹出口本体１１内周面と仕切板１１ｂとに密着する略半円形の板状体で形成され、吹出口本体１１内部の仕切板１１ｂで仕切られた二つの開口領域のうち、開口部１１ａに面する側の開口領域１１ｃにおける吹出口本体１１筒軸方向のちょうど開口部１１ａのある所定範囲位置で、筒軸方向に所定の等間隔配置で複数配設され、前記筒軸方向と直角をなして開口領域１１ｃのうち開口部１１ａ寄り部分及び吹出口本体１１内周面寄り部分を閉塞する一方、開口領域１１ｃのうち仕切板１１ｂ中央部近傍部分を開放する構成である。
【００２１】
各整流板１２は、前記開口領域１１ｃを閉塞しない開放部分１２ａに面する内縁部として円弧部分を有する形状とされ、その配設位置が調和空気供給側となる床部側から遠ざかるにつれて、すなわち、上に行くほど、開口領域１１ｃの閉塞面積を所定の割合で大きくし、逆に開放部分１２ａを小さくする形状とされる構成である。また、各整流板１２における開放部分１２ａの筒軸方向における相互の位置関係は、隣合う整流板１２同士で、小さい方の開放部分が大きい方の開放部分の範囲内に収り、且つ整流板１２内縁の円弧部分の円中心位置が前記筒軸方向に重なる同心配置とされる。なお、各整流板１２の開口部１１ａ寄りとなる外周円弧部分については、いずれの整流板１２も同じ形状であり、且つ吹出口本体１１筒軸方向に重なって揃った配置とされる。
【００２２】
前記風向調整体１３は、細長く且つ薄い略板状体で形成され、開口部１１ａの外側にその長手方向を吹出口本体筒軸方向と一致させてそれぞれ傾斜角度調整可能とされ、且つ吹出口本体外周に沿って所定間隔で複数並べて配設される構成である。この風向調整体１３が、開口部１１ａの下流側で傾斜角度を調整されて、開口部１１ａから外部に向う気流の水平面上での吹出方向を変化させることで、開口部１１ａから吹出す気流を所望の状態に調整できる仕組みである。例えば、各風向調整体１３を吹出口本体１１の筒中心に向けて、風向調整体１３を放射状に配置した状態とし、気流を開口部１１ａから広く拡散させ、気流の到達範囲を横方向に広げたり（図３、図６参照）、また、風向調整体１３を全て開口部正面方向に平行とし、気流を正面方向のみへの吹出しとして開口部正面側への気流の到達距離を最大限確保する（図７、図８参照）ことなどが可能となる。
【００２３】
なお、吹出口本体１１における風向調整体１３と同じ高さ位置で風向調整体１３配設部位以外の箇所には、風向調整体１３と略同形状の縦羽根１４が吹出口本体外周に沿って所定間隔で複数並べて配設され、開口部１１ａと共に統一感のある外観が得られる仕組みとなっている。そして、風向調整体１３及び縦羽根１４の外側には、これらの周囲を取巻いて保護する環状の横羽根１５が吹出口本体筒軸方向に所定間隔で複数配設される。
【００２４】
次に、前記構成に基づく吹出口装置における吹出状態について説明する。前提として、開口部１１ａ外側の風向調整体１３の傾きが適宜調整操作され、吹出気流全体の水平方向の拡散状態が設定されているものとする。まず、供給される調和空気は、吹出口本体１１における床下空間側の端部開口を通過して吹出口本体１１内に入る。上下の各開口部１１ａに向う調和空気は、それぞれ仕切板１１ｂで仕切られた別の開口領域を通ることとなり、相互に影響を及すことはない。
【００２５】
調和空気の気流は、吹出口本体１１の内部を上向きに進み、複数の整流板１２が吹出口本体１１の筒軸方向に等間隔で配置された開口部１１ａの位置に達する。各整流板１２の開口領域１１ｃを閉塞する面積を上側へ進むほど所定の割合で少しずつ大きくしており、吹出口本体１１内をそのまま筒軸方向に進行しようとする気流は、整流板１２の各開放部分１２ａを通り抜ける一方、その一部が外側の整流板１２で直進を制限されることにより、徐々に各整流板１２間の隙間１１ｄに導かれ、開口部１１ａ側へ向うこととなる。
【００２６】
各整流板１２の開放部分１２ａに面する内縁を同心の円弧形状とすると共に、整流板１２を等間隔で配設していることで、整流板１２間の各隙間１１ｄのなす気流流路の形状は、前記筒軸方向に直交して吹出口本体１１内から吹出口本体１１外へ向う方向への長さのみ異なるものとなっており、この気流流路の長さは、整流板１２の閉塞部分が上側ほど大きくなっていくのと同様に大きくなっている。また、各整流板１２の閉塞部分で遮られて整流板１２間の隙間１１ｄへ進む気流と開放部分１２ａを抜けて直進する気流との関係も、筒軸方向と直角をなす各方向について一様な状態となっていることから、各整流板１２間の隙間１１ｄから開口部１１ａに達して吹出される気流は、筒軸方向並びに吹出口本体１１の外周方向（水平方向）について均等な吹出状態となる。
【００２７】
こうして、吹出口本体１１内でその筒軸方向に進行しようとする気流を各整流板１２で制限して徐々に各整流板１２間の隙間１１ｄに導き、各隙間１１ｄを通して開口部１１ａ側へ向わせることで、進行方向を変えて開口部１１ａに達する過程での気流の圧力損失を小さく抑えつつ、開口部１１ａから気流を均等な吹出状態で吹出せることとなる。このように開口部１１ａから気流を均等に吹出すことに伴い、開口部１１ａ外側の風向調整体１３の案内効果を最大限有効に活用可能となり、気流吹出方向を適切に設定でき、気流を空気調和対象空間に適切に進行させて十分な到達距離を確保できる上、活動域に対し気流をまんべんなく拡散させて効率よく空気調和が行える。また、開口部１１ａにおいて気流が特定の箇所に集中したり偏ったりしないことで騒音の発生も抑えられる。
【００２８】
調和空気の気流は、最終的に開口部１１ａ外側の風向調整体１３の傾きに沿って案内され、水平方向について開口部１１ａ正面側に直進、又は所定傾斜方向に広がりをもって、空気調和対象空間に吹出すこととなる。
【００２９】
本実施形態では空気調和として冷房を行うものであり、既存の空気より重い冷えた調和空気を活動域より高い位置にある開口部１１ａから水平方向に吹出すことで、活動域に達するまでに十分空間内に拡散させられ、ドラフトを生じさせずに活動域における空気の冷却効果を高めることができ、短時間に活動域を冷せる。
【００３０】
このように、本実施形態に係る吹出口装置においては、側面に開口部１１ａのある筒状の吹出口本体１１内部に整流板１２を複数配設し、各整流板１２における吹出口本体１１内部の開口領域１１ｃを閉塞する面積を少しずつ大きくして、吹出口本体１１内でその筒軸方向に進行しようとする気流を各整流板１２で制限して徐々に各整流板１２間の隙間１１ｄに導き、開口部１１ａ側へ向わせることから、進行方向を変えて開口部１１ａに達する過程での気流の圧力損失を小さく抑えつつ、各整流板１２における開放部分１２ａの大きさ及び位置と整流板１２間の間隔に応じて、気流の各整流板１２間の隙間１１ｄに入って開口部１１ａ側へ向う分とそのまま開放部分１２ａを抜けて吹出口本体筒軸方向へ進行する分との割合を適宜設定でき、最終的に開口部１１ａから出る気流を均等吹出状態に調整できることとなり、開口部１１ａから気流を空気調和対象空間に適切に進行させて十分な到達距離を確保できる上、活動域に対し気流をまんべんなく拡散させて少ない吹出口装置数でも効率よく確実に空気調和が行える。
【００３１】
なお、前記実施形態に係る吹出口装置においては、吹出口本体１１内に仕切板１１ｂを設け、吹出口本体１１内の開口領域のうち、開口部１１ａのある側の開口領域１１ｃに整流板１２を設ける構成としているが、これに限らず、仕切板１１ｂを設けず、吹出口本体１１の内部全域にわたって整流板を設ける構成とすることもでき、前記実施形態同様、吹出口本体内を筒軸方向に向って進行する調和空気の気流を整流板で少しずつ開口部側に向わせて開口部から適切な吹出状態で吹出せる。また、前記整流板１２は仕切板１１ｂに当接する部分を一部に限定され、仕切板１１ｂと整流板１２の当接していない部位に開放部分１２ａを位置させる形状として形成される構成としているが、これに限らず、整流板における開放部分を、整流板のみに囲まれる孔、すなわち、輪郭が閉じた曲線及び／又は直線で構成される所定形の孔とすることもでき、特に、仕切板が無く、且つ吹出口本体全周に開口部が設けられて外周全方向に吹出せる場合に、整流板中央に円形孔を設けるようにすれば、すなわち、整流板をドーナツリング状とすれば、吹出口装置の周囲全方向への均等吹出しが実現できる。
【００３２】
（本発明の第２の実施形態）
本発明の第２の実施形態に係る吹出口装置を図９及び図１０に基づいて説明する。図９は本実施形態に係る吹出口装置の要部横断面図、図１０は本実施形態に係る吹出口装置の開口部内側における気流進行状態説明図及び吹出気流の水平方向進行状態説明図である。
【００３３】
前記各図において本実施形態に係る吹出口装置２０は、前記第１の実施形態同様、吹出口本体２１と、複数の整流板２２と、風向調整体２３とを備える一方、異なる点として、吹出口本体２１の開口部２１ａが全周にわたって配設されると共に、開放部分２２ａとして円形の孔を穿設された整流板２２がその向きを調整自在として配設された上で、各整流板２２の開放部分２２ａ中心位置が吹出口本体筒軸方向に重ならず各々ずれた配置とされる構成を有するものである。
【００３４】
前記吹出口本体２１は、所定高さ位置の周側面全周にわたって開口部２１ａが一つ配置され、内部に仕切板が配設されない点を除いて、前記第１の実施形態同様の円筒体とされる構成であり、詳細な説明を省略する。
【００３５】
前記整流板２２は、吹出口本体２１内周面に密着する円形の外周部分を有する板状体で形成され、吹出口本体２１内部の開口領域２１ｃにおける吹出口本体２１筒軸方向のちょうど開口部２１ａのある所定範囲位置で、筒軸方向に所定の等間隔配置で複数配設される構成である。各整流板２２は、前記筒軸方向と直角をなし、それぞれ吹出口本体２１の円筒軸位置を中心として吹出口本体２１に対し回動可能に支持されており、開口領域２１ｃのうち吹出口本体２１内周面寄り部分を閉塞するものとなっている。
【００３６】
この整流板２２は、前記開口領域２１ｃを閉塞しない開放部分２２ａとして円形の孔を穿設され、この円形孔が調和空気供給側となる床部側から遠ざかるにつれて、すなわち、上に行くほど小さくされて、開口領域２１ｃの閉塞面積を所定の割合で大きくしていく形状とされる構成である。また、各整流板２２における開放部分２２ａの筒軸方向における相互の位置関係は、所定の一の整流板２２における開放部分２２ａに対する他の整流板における開放部分の円中心を、筒軸方向と直交する所定の一方向に、前記一の整流板２２ａから離れるほど大きなずれ量で偏心させた配置とされる。すなわち、隣合う整流板２２同士で、開放部分２２ａの中心同士が互いに少しずつずれた状態となっている。
【００３７】
前記風向調整体２３は、細長く且つ薄い略板状体で形成され、吹出口本体２１の全周にわたる開口部２１ａの外側にその長手方向を吹出口本体筒軸方向と一致させ、且つそれぞれの傾斜の向きを吹出口本体２１の筒中心に向けて放射状に配置した状態として、吹出口本体２１外周に沿って所定間隔で複数並べて配設される構成である。この風向調整体２３の外側には、前記第１の実施形態同様、環状の横羽根２５が吹出口本体筒軸方向に所定間隔で複数配設される。
【００３８】
次に、前記構成に基づく吹出口装置における吹出状態について説明する。前記第１の実施形態同様、供給された調和空気が、吹出口本体２１の床下側端部から吹出口本体２１内に入り、吹出口本体２１の内部を上向きに進み、複数の整流板２２が筒軸方向に等間隔で配置された開口部２１ａの位置に達する。各整流板２２の開口領域２１ｃを閉塞する面積を上側へ進むほど所定の割合で少しずつ大きくしており、吹出口本体２１内をそのまま筒軸方向に進行しようとする気流は、整流板２２の各開放部分２２ａを通り抜ける一方、その一部が外側の整流板２２で直進を制限されることにより、徐々に各整流板２２間の隙間２１ｄに導かれ、開口部２１ａ側へ向うこととなる。
【００３９】
各整流板２２を等間隔で配設する一方で、各整流板２２の円形孔である開放部分２２ａを所定方向に少しずつ偏心させて配置していることで、整流板２２間の隙間２１ｄのなす気流流路の筒軸方向に直交する向きへの長さは、いずれの気流流路でも開放部分２２ａのずれた向きで最も短くなり、その反対方向で最も長くなるなど、開放部分２２ａの中心位置が異なる分、筒軸方向と直角をなす各方向でその長さが異なっている。そして、前記気流流路の各方向への長さは、整流板２２の閉塞部分の大きさ同様、上側ほど大きくなっており、その変化の割合は筒軸方向各位置で一定となっている。
【００４０】
整流板２２における開放部分２２ａの配置により、各整流板２２の閉塞部分で遮られて整流板２２間の隙間２１ｄへ進む気流と開放部分２２ａを抜けて直進する気流との割合は、筒軸方向と直角をなす各方向でそれぞれ異なる状態となり、開放部分２２ａの直上に存在する閉塞部分の大きさが最も大となっている開放部分２２ａのずれ方向と反対の向きにおいて、隙間２１ｄへ進む気流が最大となることから、各整流板２２間の隙間２１ｄから開口部２１ａに達して吹出される気流は、筒軸方向については略均等な吹出状態となるものの、吹出口本体１１の外周方向（水平方向）については、前記開放部分のずれ方向と反対の向きで他より気流が強まった吹出状態が得られることとなる（図１０参照）。
【００４１】
こうして、吹出口本体２１内でその筒軸方向に進行しようとする気流を各整流板２２で制限して徐々に各整流板２２間の隙間２１ｄに導き、各隙間２１ｄを通して開口部２１ａ側へ向わせることで、進行方向を変えて開口部２１ａに達する過程での気流の圧力損失を小さく抑えつつ、開口部２１ａから気流を所定の方向に対する強めの吹出を伴った全周吹出を行えることとなる。開口部２１ａ全周から気流を吹出すことに加えて、所定方向への気流を他より強めた状態としていることで、空気調和対象空間における活動域の所望の箇所に気流を確実に進行させつつ、活動域に対し気流をまんべんなく拡散させて効率よく空気調和が行える。
【００４２】
なお、吹出口本体２１に対し整流板２２を回動可能に配設していることで、各整流板２２の吹出口本体２１に対する位置関係を一括して回動調整すれば、開放部分２２ａのずれに伴う気流進行の偏り状態を固定の吹出口本体２１及び開口部２１ａに対して変化させられ、気流を強めに吹出す向きを調整できることとなり、気流吹出状態を活動域の状況に対応して適切に設定でき、効率よく空気調和を行える。この場合、整流板２２の回動調整は手操作でも自動調整でもよく、また、整流板を自動的に所定角度範囲内で折返しの回動動作を繰返させたり、連続的に回転させたりすることもでき、周期的な吹出状態変化を与えられることとなる。
【００４３】
このように、本実施形態に係る吹出口装置においては、整流板２２の開放部分２２ａとしての円形孔を一方向に徐々にずらしていく配置とし、各整流板２２の閉塞部分で遮られて整流板２２間の隙間２１ｄへ進む気流と開放部分２２ａを抜けて直進する気流との関係を前記筒軸方向と直角をなす各向きについて一様ではない状態とすることから、開放部分２２ａと整流板２２外周との距離が長くなる所定方向で整流板２２に遮られて開放部分２２ａから隙間２１ｄに進む気流が多くなることに伴って、気流の進行に偏りが生じ、気流の吹出状態が前記所定方向で他方向より強めに吹出すパターンが得られることとなり、空気調和対象空間における活動域に対し特定箇所への到達を重視する場合にも適切に対応でき、あらゆる状況で確実に空気調和が行える。
【００４４】
なお、前記第１及び第２の各実施形態に係る吹出口装置においては、吹出口本体１１、２１を円筒体として形成する構成としているが、これに限らず、三角形や方形、矩形等の多角形断面形状をはじめ、楕円形状、また、曲面部及び／又は平面部を組合わせた任意の閉じた断面形状となる筒体として形成する構成としてもかまわない。
【００４５】
また、前記第１及び第２の各実施形態に係る吹出口装置においては、整流板１２、２２を一板状体とする構成としているが、これに限らず、図１１に示すように、整流板３２の開口部３１ａ寄りの端部３２ｂを別体として他部分に対し傾動自在に取付、この端部３２ｂの傾動角度を変化させて気流の吹出方向を水平方向に対し傾ける調整を行えるようにする構成とすることもでき、端部３２ｂの傾斜角度調整で吹出口本体３１の開口部３１ａから吹出す気流を所望の方向へ向わせられることとなり、吹出状態の調整の自由度をさらに高めて空気調和条件により確実に対応させられ、到達距離を最大限に確保できるなど、活動域に対し適切に空気調和を行える。
【００４６】
また、前記第１及び第２の各実施形態に係る吹出口装置においては、吹出口本体１１、２１内部に配設する各整流板１２、２２の間隔を等間隔で固定した構成としているが、これに限らず、図１２に示すように、整流板４２の間隔を開口部４１ａのある範囲で調整可能に配設する構成とすることもでき、各整流板４２間の隙間４１ｄを通過して吹出す気流の割合を変化させられることで、開口部４１ａにおける吹出口本体４１筒軸方向の吹出気流分布を所望の状態に調整でき、吹出後の気流の前記筒軸方向への拡散や偏り等の進行状態変化を与えることができ、空気調和状況に応じて開口部４１ａから吹出す気流の進行状態を変化させて十分な到達範囲を確保でき、空気調和の効率を高められる。
【図面の簡単な説明】
【００４７】
【図１】本発明の第１の実施形態に係る吹出口装置の概略右側面図である。
【図２】本発明の第１の実施形態に係る吹出口装置における要部の右側面図である。
【図３】図２のＡ−Ａ断面図である。
【図４】本発明の第１の実施形態に係る吹出口装置における要部の縦断面図である。
【図５】本発明の第１の実施形態に係る吹出口装置の開口部内側における気流進行状態説明図である。
【図６】本発明の第１の実施形態に係る吹出口装置における吹出気流の水平方向及び垂直方向の各進行状態説明図である。
【図７】本発明の第１の実施形態に係る吹出口装置における正面限定吹出時の風向調整体調整状態説明図である。
【図８】本発明の第１の実施形態に係る吹出口装置における正面限定吹出時の水平方向及び垂直方向の各気流進行状態説明図である。
【図９】本発明の第２の実施形態に係る吹出口装置の要部横断面図である。
【図１０】本発明の第２の実施形態に係る吹出口装置の開口部内側における気流進行状態説明図及び吹出気流の水平方向進行状態説明図である。
【図１１】本発明の他の実施形態に係る吹出口装置の整流板端部傾動調整時における気流進行状態説明図である。
【図１２】本発明の他の実施形態に係る吹出口装置の整流板位置調整時における気流進行状態説明図である。
【符号の説明】
【００４８】
１０、２０                      吹出口装置
１１、２１、３１、４１          吹出口本体
１１ａ、２１ａ、３１ａ、４１ａ  開口部
１１ｂ                          仕切板
１１ｃ、２１ｃ                  開口領域
１１ｄ、２１ｄ、４１ｄ          隙間
１２、２２、３２、４２          整流板
１２ａ、２２ａ                  開放部分
１３、２３                      風向調整体
１４                            縦羽根
１５、２５                      横羽根
３２ｂ                          端部
５０、５１                      床部
【図１】
2009250536.tif 000003
【図２】
2009250536.tif 000004
【図３】
2009250536.tif 000005
【図４】
2009250536.tif 000006
【図５】
2009250536.tif 000007
【図６】
2009250536.tif 000008
【図７】
2009250536.tif 000009
【図８】
2009250536.tif 000010
【図９】
2009250536.tif 000011
【図１０】
2009250536.tif 000012
【図１１】
2009250536.tif 000013
【図１２】
2009250536.tif 000014